(57)【特許請求の範囲】
【請求項１】
一端部に開口を有する有底筒状に形成され、少なくとも側壁部に断熱層を有するケースと、
前記ケースの一端部に着脱可能に取り付けられるとともに、前記ケースに収容された飲料容器の飲み口を外部へ露出させる露出部を有する蓋と、
を備え、
前記露出部は、
前記ケースの軸方向から見て、前記蓋の中央部に形成された貫通孔と、
前記貫通孔から前記ケースの径方向の外側に向けて延びる複数のスリット間に設けられ、前記軸方向に沿って弾性変形するとともに前記飲料容器を前記ケース側に押圧する押圧部と、
を有し、
前記ケースの内径は、７４ｍｍ以上８４ｍｍ以下となっており、
前記貫通孔の内径は、３５ｍｍ以上４５ｍｍ以下となっており、
前記ケースに前記蓋が取り付けられた飲料容器ホルダー本体部の前記軸方向に沿う高さは、１６０ｍｍ以上１９０ｍｍ以下となっていることを特徴とする飲料容器ホルダー。
【請求項２】
前記蓋は、ポリプロピレン及び熱可塑性エラストマーを含んで形成されていることを特徴とする請求項１に記載の飲料容器ホルダー。
【請求項３】
前記蓋は、前記軸回りに回転されることで前記ケースの一端部と係合する係合部を有する環状の周壁部を有し、
前記蓋は、前記ケースから前記蓋が取り外された離脱状態から、前記ケースの一端部に対して前記軸回りに２回転以下の回転により、前記ケースに前記蓋が係合された係合状態へ至ることを特徴とする請求項１又は請求項２に記載の飲料容器ホルダー。
【発明の詳細な説明】
【技術分野】
【０００１】
本発明は、飲料容器ホルダーに関する。
【背景技術】
【０００２】
従来、各種飲料が充填されたペットボトルやボトル缶等の飲料容器を保冷及び保温（以下、保冷温という。）しつつ持ち運び可能にする飲料容器ホルダーが知られている。これらの飲料容器ホルダーでは、飲料の保冷温効果を高めるための技術が種々提案されている。
【０００３】
例えば特許文献１には、飲料容器の側面及び底面を被覆可能な本体部と、伸縮自在な開口部とを備え、本体部が長尺筒状の被覆材の下端を袋状に縫合することにより形成された飲料容器ホルダーの構成が開示されている。長尺筒状の被覆材は、第一の布材である表面材と断熱材である裏面材とを有する。開口部は、長尺筒状の被覆材よりも短い短尺筒状の第二の布材により形成されるとともに、長尺筒状の被覆材の上端に連設されている。特許文献１に記載の技術によれば、構造が簡易でありながら、飲料容器内に充填された飲料の温度変化を防止することができるとされている。
【先行技術文献】
【特許文献】
【０００４】
【特許文献１】実用新案登録第３２２３７７９号公報
【発明の概要】
【発明が解決しようとする課題】
【０００５】
ところで、これらの飲料容器ホルダーでは、保冷温効果のさらなる向上が望まれている。また、簡素な構成により様々な形状の飲料容器に対応可能な汎用性の高さが求められていた。
【０００６】
そこで、本発明は、保冷温効果を高めるとともに、簡素な構成により汎用性を向上した飲料容器ホルダーを提供することを目的とする。
【課題を解決するための手段】
【０００７】
本発明の飲料容器ホルダーは、一端部に開口を有する有底筒状に形成され、少なくとも側壁部に断熱層を有するケースと、前記ケースの一端部に着脱可能に取り付けられるとともに、前記ケースに収容された飲料容器の飲み口を外部へ露出させる露出部を有する蓋と、を備え、前記露出部は、前記ケースの軸方向から見て、前記蓋の中央部に形成された貫通孔と、前記貫通孔から前記ケースの径方向の外側に向けて延びる複数のスリット間に設けられ、前記軸方向に沿って弾性変形するとともに前記飲料容器を前記ケース側に押圧する押圧部と、を有し、前記ケースの内径は、７４ｍｍ以上８４ｍｍ以下となっており、前記貫通孔の内径は、３５ｍｍ以上４５ｍｍ以下となっており、前記ケースに前記蓋が取り付けられた飲料容器ホルダー本体部の前記軸方向に沿う高さは、１６０ｍｍ以上１９０ｍｍ以下となっている。
【０００８】
本発明の飲料容器ホルダーによれば、ケースは断熱層を有するので、断熱層を有しない従来技術と比較して、飲料容器ホルダーの内側と外側との間の熱伝達を抑制できる。これにより、飲料容器ホルダーに収容された飲料容器内の飲料の温度を一定温度に維持し易くなり、飲料の保冷温効果をより高めることができる。飲料容器ホルダーに直接飲料容器を挿入するので、水筒等を利用する場合と比較して、飲料容器内の飲料を移し替える必要が無い。よって、内部の飲料（飲料容器）を容易に交換可能な、使い勝手の良い飲料容器ホルダーとすることができる。
蓋は、露出部を有し、露出部は、貫通孔と、押圧部と、を有する。ケースに蓋が取り付けられた状態で、貫通孔から飲料容器の飲み口を露出させることにより、飲料容器ホルダーから飲料容器を出し入れすることなく容易に飲料を飲むことができる。押圧部は、飲料容器をケース側に押圧するので、飲料容器を飲料容器ホルダー内に保持したまま持ち運ぶことができる。また、押圧部は、貫通孔から径方向に延びるスリット間に設けられるとともに弾性変形可能とされている。このため、飲料容器の大きさ（直径）や外形（四角形や丸形等）等に応じて押圧部が弾性変形するので、飲料容器を確実に保持できるとともに、飲料容器と押圧部との密着性を高めることができる。よって、簡素な構成により様々な形状の飲料容器に対応できる。
したがって、保冷温効果を高めるとともに、簡素な構成により汎用性を向上した飲料容器ホルダーを提供できる。
ケースの内径は、７４ｍｍ以上８４ｍｍ以下となっているので、市販されている種々のペットボトルやボトル缶等の飲料容器を収容可能な寸法とすることができる。ここで、市販されている飲料容器の中でも、５００ｍｌサイズの飲料容器入り飲料は、重すぎず嵩張らないためカバン等への収納や携帯に便利であり人気が高い。このため、上述のようにケースの内径の値を設定することにより、特に５００ｍｌサイズの飲料容器に対して好適に用いることができる。よって、飲料容器ホルダーの汎用性を向上できる。また、様々な形状及び大きさの飲料容器を飲料容器ホルダーに収容するとともに、飲料容器と飲料容器ホルダーとの隙間を最小限に抑えた寸法とすることができる。よって、飲料容器ホルダーの使い勝手を向上できる。
貫通孔の内径は、３５ｍｍ以上４５ｍｍ以下となっているので、市販されている種々のペットボトルやボトル缶等の飲料容器を収容した際に、飲料容器を安定的に保持することができる。よって、飲料容器ホルダーの汎用性及び使い勝手を向上できる。
ケースに蓋が取り付けられた飲料容器ホルダー本体部の軸方向に沿う高さは、１６０ｍｍ以上１９０ｍｍ以下となっているので、市販されている種々のペットボトルやボトル缶等の飲料容器を収容可能な寸法とすることができる。具体的には、これらの飲料容器を飲料容器ホルダーに収容した際に、蓋を閉めることができるとともに、飲料容器の飲み口を露出部から露出させることができる。よって、飲料容器ホルダーの汎用性及び使い勝手を向上できる。
【００１５】
本発明の飲料容器ホルダーは、前記蓋は、ポリプロピレン及び熱可塑性エラストマーを含んで形成されていてもよい。
【００１６】
本発明の飲料容器ホルダーによれば、蓋は、ポリプロピレン及び熱可塑性エストラマーを含んで形成されるので、製造性に優れ、弾性変形し易くかつ繰り返しの変形に対する強度を高めた蓋を形成できる。これにより、飲料容器の形状に合わせて柔軟に弾性変形しつつ、飲料容器を飲料容器ホルダー内に保持可能な程度に飲料容器に押圧力を付与することができる。よって、様々な形状の飲料容器に対応することができる。
【００１７】
本発明の飲料容器ホルダーは、前記蓋は、前記軸回りに回転されることで前記ケースの一端部と係合する係合部を有する環状の周壁部を有し、前記蓋は、前記ケースから前記蓋が取り外された離脱状態から、前記ケースの一端部に対して前記軸回りに２回転以下の回転により、前記ケースに前記蓋が係合された係合状態へ至るようになっていてもよい。
【００１８】
本発明の飲料容器ホルダーによれば、２回転以下の回転によりケースに蓋を係合させて取り付けることができる。これにより、ケースに対する蓋の着脱作業が行いやすく、飲料容器ホルダーへの飲料容器の出し入れを迅速かつ容易に行うことができる。よって、飲料容器ホルダーの使い勝手を向上できる。
【発明の効果】
【００１９】
本発明の飲料容器ホルダーによれば、保冷温効果を高めるとともに、簡素な構成により汎用性を向上した飲料容器ホルダーを提供できる。
【図面の簡単な説明】
【００２０】
【図１】実施形態に係る飲料容器ホルダーの部分断面図。
【図２】実施形態に係る飲料容器ホルダーの分解斜視図。
【図３】実施形態に係る蓋の上面図。
【発明を実施するための形態】
【００２１】
以下、本発明の実施形態について図面を参照して説明する。なお、以下の説明では、同一または類似の機能を有する構成に同一の符号を付す。そして、それら構成の重複する説明は省略する場合がある。
【００２２】
（飲料容器ホルダー）
図１は、実施形態に係る飲料容器ホルダー１の部分断面図である。図２は、実施形態に係る飲料容器ホルダー１の分解斜視図である。
図１に示すように、飲料容器ホルダー１は、例えばペットボトルやボトル缶等の飲料容器７を内部に収容可能となっている。飲料容器ホルダー１は、これらの飲料容器７を収容して保持するとともに、飲料容器７に充填された飲料を保冷温するためのものである。本実施形態の飲料容器ホルダー１は、飲料容器７のうち、特に利用頻度の高い５００ｍｌサイズのペットボトルに好適に利用される。
飲料容器ホルダー１は、ケース２と、蓋３と、を備える。
【００２３】
（ケース）
図１及び図２に示すように、ケース２は、飲料容器７を内部に収容可能となっている。ケース２は、例えばステンレスやアルミニウム等の金属材料により形成されている。より望ましくは、保冷温性能を高めることができる点で、オーステナイト系ステンレスのＳＵＳ３０４やＳＵＳ２０１等により形成されることが望ましい。ケース２は、一端部に開口部１２（請求項の開口）を有し、中心軸線Ｃを中心とする有底筒状に形成されている。以下の説明において、中心軸線Ｃに沿う方向を軸方向といい、軸方向に直交する方向を径方向といい、軸方向回りの方向を周方向という場合がある。
ケース２は、側壁部１０と、底部１１と、を有する。
【００２４】
側壁部１０は、中心軸線Ｃを中心とする円筒状に形成されている。図１に示すように、側壁部１０の内部には、断熱層１３が設けられている。断熱層１３は、側壁部１０の内部において閉塞された空間として設けられている。具体的に、本実施形態において、断熱層１３は、ケース２の外周面側に配置された外壁部１４と、ケース２の内周面側に配置された内壁部１５と、により径方向の両側から囲まれた領域である。断熱層１３内は、真空となっている。
【００２５】
図１及び図２に示すように、飲料容器７は、開口部１２からケース２内に挿入される。側壁部１０の一端部には、蓋３が係合可能な被係合部１６が設けられている。被係合部１６は、側壁部１０の外周面に形成された雄ねじ部である。側壁部１０のうち被係合部１６が形成される一端部側の外径は、側壁部１０のうち被係合部１６が設けられることなく形成された本体部１７の外径より小さい。
【００２６】
底部１１は、側壁部１０の他端部に設けられている。底部１１は、中心軸線Ｃを中心とする円形状に形成されている。底部１１は、側壁部１０の内径と同等の直径を有する。底部１１は、側壁部１０の軸方向における他端側の開口を閉塞している。底部１１は、例えば絞り加工等により側壁部１０と一体に形成されている。なお、底部１１及び側壁部１０は、別々に形成された後に互いに接着や溶着等により一体化されてもよい。
【００２７】
図１に示すように、このように形成されたケース２の内径Ｄは、様々な形状の飲料容器７が収容可能な大きさに設定されている。具体的に、本実施形態のケース２の内径Ｄは、７４ｍｍ以上８４ｍｍ以下となっている。これにより、例えば断面円形状の飲料容器７の他に、断面矩形状の飲料容器７や、断面多角形状の飲料容器７等にも好適に利用可能となっている。
【００２８】
（蓋）
蓋３は、ケース２の一端部に着脱可能に取り付けられる。蓋３は、ポリプロピレン及び熱可塑性エラストマーを含む合成樹脂材料により形成されている。蓋３は、ケース２に取り付けられた状態で、中心軸線Ｃを中心とする環状に形成されている。蓋３は、周壁部２０と、天面部２１と、を有する。
【００２９】
周壁部２０は、中心軸線Ｃを中心とする円環状に形成されている。周壁部２０の軸方向に沿う高さ寸法は、被係合部１６の軸方向に沿う高さ寸法よりもわずかに大きい。周壁部２０の外径は、ケース２の本体部１７の外径と同等となっている（図１参照）。周壁部２０は、ケース２の一端部に設けられた被係合部１６と係合する係合部２２を有する。係合部２２は、周壁部２０の内周面に設けられた雌ねじ部である。
【００３０】
天面部２１は、周壁部２０の軸方向においてケース２と反対側の端部に連結されている。天面部２１は、周壁部２０と一体形成されている。天面部２１は、露出部２３を有する。露出部２３は、蓋３がケース２に取り付けられた状態で、ケース２内に収容された飲料容器７の飲み口８を外部へ露出させる。露出部２３は、貫通孔２４と、スリット２５と、押圧部２６と、を有する。
【００３１】
図３は、実施形態に係る蓋３を軸方向の天面部２１側から見た上面図である。
貫通孔２４は、軸方向から見て、蓋３の中央部に形成されている。貫通孔２４は、天面部２１を軸方向に貫通している。貫通孔２４は、中心軸線Ｃと同軸上に設けられている。貫通孔２４は、軸方向から見て、中心軸線Ｃを中心とする円形状に形成されている。軸方向から見て、貫通孔２４の直径（内径）Ｑは、３５ｍｍ以上４５ｍｍ以下となっている。
【００３２】
スリット２５は、貫通孔２４より径方向の外側に設けられている。スリット２５は、貫通孔２４から径方向の外側に向かって放射状に延びている。スリット２５の径方向内側の端部は、貫通孔２４に通じている。スリット２５の径方向外側の端部は、天面部２１の外周部よりも径方向の内側で終端している。スリット２５は、周方向に沿って等間隔に複数設けられている。
【００３３】
押圧部２６は、周方向に並ぶ複数のスリット２５の間に設けられている。軸方向から見て、押圧部２６は、隣り合うスリット２５側に斜辺を有し、径方向の外側から内側に向かうにつれて幅が小さくなる台形状に形成されている。押圧部２６は、軸方向に沿って弾性変形する。具体的に、押圧部２６は、径方向の外側に位置する基端部が天面部２１に連結された固定端とされ、径方向の内側に位置する部分が軸方向に移動可能な自由端とされている。押圧部２６は、基端部から先端部に向かうほど軸方向に沿う変形量が大きい。押圧部２６は、飲料容器７がケース２に収容された状態で、飲料容器７の容器本体５と飲み口８との間に位置する肩部６に当接する。図１に示すように、押圧部２６は、飲料容器７の上方（飲み口８側）から飲料容器７に当接し、肩部６に沿って先端部が上方を向くように湾曲する。これにより、押圧部２６は、ケース２内に収容された飲料容器７をケース２の底部１１側に向かって押圧する。
【００３４】
図２に示すように、このように形成された蓋３は、中心軸線Ｃ回りに回転されることで、被係合部１６の雄ねじ部と係合部２２の雌ねじ部とが噛み合い、ケース２の一端部と係合される。ここで、ケース２と蓋３とが離間しており、雄ねじ部と雌ねじ部とが一切噛み合っていない状態を離脱状態と定義する。飲料容器ホルダー１に飲料容器７を保持した状態を維持可能であり、例えば持ち運ぶ際の振動や衝撃によって蓋３が意図せずに回転しない程度に、蓋３がケース２に係合された状態を係合状態と定義する。このとき、蓋３は、ケース２から蓋３が取り外された離脱状態（図２参照）から、ケース２に蓋３が係合された係合状態（図１参照）へ至るまでに、所定の回転数以下で回転する。本実施形態において、所定の回転数は、２回転である。つまり、蓋３は、ケース２の一端部に対して軸回りに２回転以下の回転により、離脱状態から係合状態へ至る。
【００３５】
図１に戻って、ケース２の一端部に蓋３が取り付けられた係合状態の飲料容器ホルダー１（請求項の飲料容器ホルダー本体部）の軸方向に沿う高さＨは、１６０ｍｍ以上１９０ｍｍ以下となっている。これにより、例えば高さの異なる様々な飲料容器７に対して好適に利用可能となっている。
【００３６】
（作用、効果）
上述の飲料容器ホルダー１によれば、ケース２は断熱層１３を有するので、断熱層１３を有しない従来技術と比較して、飲料容器ホルダー１の内側と外側との間の熱伝達を抑制できる。これにより、飲料容器ホルダー１に収容された飲料容器７内の飲料の温度を一定温度に維持し易くなり、飲料の保冷温効果をより高めることができる。飲料容器ホルダー１に直接飲料容器７を挿入するので、水筒等を利用する場合と比較して、飲料容器７内の飲料を移し替える必要が無い。よって、内部の飲料（飲料容器７）を容易に交換可能な、使い勝手の良い飲料容器ホルダー１とすることができる。
【００３７】
蓋３は、露出部２３を有し、露出部２３は、貫通孔２４と、押圧部２６と、を有する。ケース２に蓋３が取り付けられた状態（係合状態）で、貫通孔２４から飲料容器７の飲み口８を露出させることにより、飲料容器ホルダー１から飲料容器７を出し入れすることなく容易に飲料を飲むことができる。押圧部２６は、飲料容器７をケース２側に押圧するので、飲料容器７を飲料容器ホルダー１内に保持したまま持ち運ぶことができる。また、押圧部２６は、貫通孔２４から径方向に延びるスリット２５間に設けられるとともに弾性変形可能とされている。このため、飲料容器７の大きさ（直径）や外形（四角形や丸形等）等に応じて押圧部２６が弾性変形するので、飲料容器７を確実に保持できるとともに、飲料容器７と押圧部２６との密着性を高めることができる。よって、簡素な構成により様々な形状の飲料容器７に対応できる。
したがって、保冷温効果を高めるとともに、簡素な構成により汎用性を向上した飲料容器ホルダー１を提供できる。
【００３８】
ケース２の内径Ｄは、７４ｍｍ以上８４ｍｍ以下となっている。これにより、市販されている種々のペットボトルやボトル缶等の飲料容器７を収容可能な寸法とすることができる。ここで、市販されている飲料容器７の中でも、５００ｍｌサイズの飲料容器７入り飲料は、重すぎず嵩張らないためカバン等への収納や携帯に便利であり人気が高い。このため、上述のようにケース２の内径Ｄの値を設定することにより、特に５００ｍｌサイズの飲料容器７に対して好適に用いることができる。よって、飲料容器ホルダー１の汎用性を向上できる。また、様々な形状及び大きさの飲料容器７を飲料容器ホルダー１に収容するとともに、飲料容器７と飲料容器ホルダー１との隙間を最小限に抑えた寸法とすることができる。よって、飲料容器ホルダー１の使い勝手を向上できる。
【００３９】
蓋３に形成された貫通孔２４の内径Ｑは、３５ｍｍ以上４５ｍｍ以下となっている。これにより、市販されている種々のペットボトルやボトル缶等の飲料容器７を収容した際に、飲料容器７を安定的に保持することができる。よって、飲料容器ホルダー１の汎用性及び使い勝手を向上できる。
【００４０】
ケース２に蓋３が取り付けられた状態の飲料容器ホルダー１（請求項の飲料容器ホルダー本体部）の軸方向に沿う高さＨは、１６０ｍｍ以上１９０ｍｍ以下となっている。これにより、市販されている種々のペットボトルやボトル缶等の飲料容器７を収容可能な寸法とすることができる。具体的には、これらの飲料容器７を飲料容器ホルダー１に収容した際に、蓋３を閉めることができるとともに、飲料容器７の飲み口８を露出部２３から露出させることができる。よって、飲料容器ホルダー１の汎用性及び使い勝手を向上できる。
【００４１】
蓋３は、ポリプロピレン及び熱可塑性エストラマーを含んで形成されるので、製造性に優れ、弾性変形し易くかつ繰り返しの変形に対する強度を高めた蓋３を形成できる。これにより、飲料容器７の形状に合わせて柔軟に弾性変形しつつ、飲料容器７を飲料容器ホルダー１内に保持可能な程度に飲料容器７に押圧力を付与することができる。よって、様々な形状の飲料容器７に対応することができる。
【００４２】
使用者は、２回転以下の回転によりケース２に蓋３を係合させて取り付けることができる。これにより、ケース２に対する蓋３の着脱作業が行いやすく、飲料容器ホルダー１への飲料容器７の出し入れを迅速かつ容易に行うことができる。よって、飲料容器ホルダー１の使い勝手を向上できる。
【００４３】
以上、本発明の好ましい実施形態について詳述したが、本発明は特定の実施形態に限定されない。本発明は、特許請求の範囲内に記載された本発明の要旨の範囲内において、変更可能である。
【００４４】
例えば、上述の実施形態では、断熱層１３内が真空とされた構成について説明したが、これに限られない。断熱層１３内には、空気が充填されてもよい。また、断熱層１３内には、例えば発泡ウレタン等の発泡系断熱部材や、グラスウール等の繊維系断熱部材等が充填されてもよい。
ケース２の側壁部１０に加えて、ケース２の底部１１にも断熱層１３が設けられてもよい。
【００４５】
ケース２の外周面にロゴ等の表示を設けてもよい。これらの表示は、例えばメッキや印刷、シール材の貼付け、プレスによる転写等により形成されてもよい。
蓋３に設けられた押圧部２６の形状やスリット２５の個数、スリット２５の径方向の長さ等は、上述した実施形態に限定されない。
【００４６】
その他、本発明の趣旨を逸脱しない範囲で、上述した実施形態における構成要素を周知の構成要素に置き換えることは適宜可能であり、また、上述した実施形態を適宜組み合わせてもよい。
【符号の説明】
【００４７】
１  飲料容器ホルダー
２  ケース
３  蓋
７  飲料容器
８  飲み口
１０  側壁部
１２  開口部（開口）
１３  断熱層
２０  周壁部
２２  係合部
２３  露出部
２４  貫通孔
２５  スリット
２６  押圧部
Ｄ  （ケースの）内径
Ｈ  （飲料容器ホルダー本体部の）高さ
Ｑ  （貫通孔の）内径
【図１】
0006946501.tif 000002
【図２】
0006946501.tif 000003
【図３】
0006946501.tif 000004